【事件の表示】
　特願２００２−１１２４９５「画像記録装置」拒絶査定不服審判事件〔平成１４年１１月１９日出願公開、特開２００２−３３１６９８〕について、次のとおり審決する。
【結　論】
　本件審判の請求は、成り立たない。
【理　由】
第１　手続の経緯
　本願は、平成５年７月２１日に出願された特願平５−１８０３１１号（優先権主張　平成４年８月３１日）の一部を特許法第４４条第１項の規定により新たな特許出願としたものであって、平成１５年９月３日付で拒絶査定がなされた。
　
　これに対し、平成１５年１０月９日付で拒絶査定に対する審判請求がなされるとともに、同年１１月１０日付で明細書についての補正がなされた。
　
　これに対し、前置審査において平成１６年２月１２日付で補正却下の決定がなされ、同年３月１８日付で補正却下に対する審判請求（補正２００４−５００１２）がなされ、同年１０月５日付で原決定を取り消す旨の審決がなされたものである。
　
第２　本願発明の認定
　
　本願の請求項１に係る発明（以下、「本願発明」という）は、平成１５年１１月１０日付で補正された特許請求の範囲の請求項１に記載された次の通りのものであると認める。
　
「中間媒体の片面側にある第１転写層に、転写部材の片面側にある第２転写層を接触させて、前記中間媒体の前記第１転写層上に第２転写層を転写する第１転写装置と、被転写物を支持すると共に、前記被転写物上に前記中間媒体上の第１転写層及び第２転写層を転写する第２転写装置と、第１リールに巻回された中間媒体を、前記第１転写装置及び第２転写装置を通過させた後に第２リールによって巻取る中間媒体供給装置とを備える画像記録装置であって、前記第１転写装置による転写の前に、中間媒体の転写開始位置を検出する第１検出手段、及び、前記第２転写装置による転写の前に、前記被転写物の転写開始位置を検出する第２検出手段を有し、該第１検出手段と第２検出手段を用いた位置合わせによって、前記第２転写層による転写画像を、前記被転写物上の所定の位置に前記第１転写層と供に転写することで、該被転写物上に画像を形成すること、を特徴とする画像記録装置。」
　
第３　引用例
　
　原査定の拒絶の理由に引用された、特開昭６４−９０７７２号公報（以下、「引用例１」という）には、次の事項が記載及び図示されている。
　
（ア）「（１）受像層を備えた帯状の転写シートを繰り出す繰り出し装置と、該繰り出し装置から繰り出された転写シートに昇華型インキフィルムを用いて転写記録を行う記録装置と、記録後の転写シートに重なるように記録シートを供給する記録シート供給装置と、前記転写シートと記録シートとを加圧、加熱して転写シートの受像層を記録シートに転写させる転写装置とを有する転写記録装置。」（公報第１頁左下欄、特許請求の範囲請求項１）
　
（イ）「第１図は本発明の一実施例を示す概略構成図である。同図において、１は転写シートを繰り出す繰り出し装置であり、転写シート２の巻取３を装着する繰り出し軸４と、繰り出し軸４に連結された駆動モータ（図示せず）と、ダンサーローラ５及びそれを保持したテンションアーム６、ばね７，テンションアーム６の位置を検知するセンサ（図示せず）等からなるテンション機構とを有している。」（公報第２頁右上欄第１１〜１８行目）
　
（ウ）「２９は転写シート２のガイドローラ、３１は転写シート２の巻取装置、３２は記録シート１９の収容ボックスである。」（公報第３頁左上欄第８〜１１行目）
　
（エ）「転写シート２はガイドローラ２９のところで方向転換して巻取装置３１に巻き取られる。」（公報第３頁右下欄第１６、１７行目）
　
（オ）「インキフィルム１３ａ〜１３ｄにはそれぞれ、イエロー（Ｙ）、マゼンタ（Ｍ）、シアン（Ｃ）、ブラック（Ｋ）の昇華型インキが塗布されている。」（公報第２頁右下欄第５〜８行目）
　
（カ）「受像層２ｄは、昇華型インキフィルムから移行する昇華型の染料を受容し、受容により形成された画像を保持するためのものであり、且つ熱圧により記録シートに転写しうるものである。」（公報第４頁左下欄第１２〜１５行）
　よって、引用例１の記載（ア）〜（カ）を含む引用例１の全記載及び図示からみて、引用例１には以下の発明が記載されているものと認める（以下、「引用発明１」という）。
　
「転写シート上の片側面にある受像層に、昇華型インキフィルムに塗布されている昇華型の染料を移行させ、前記転写シートの前記受像層上に昇華型の染料を転写する記録装置と、前記記録シート上に前記転写シート上の受像層と昇華型の染料を転写する転写装置と、巻取に巻回された転写シートを、前記記録装置及び転写装置を通過させた後に巻取装置によって巻取る転写記録装置において、前記昇華型の染料の受像層の受容による画像を、前記転写シート上の所定の位置に前記受像層と共に転写することで、転写シート上に画像を形成すること、を特徴とする転写記録装置」
　
第４　周知技術に関する文献
　
　本願の原出願の優先日前に頒布された実願平２−６２７５８号（実開平４−２２２７１号）のマイクロフィルムには、次の事項が記載又は図示されている。
　
（キ）「この転写シート２５の回りには転写シート２５をドナーフィルム２１に同期して搬送させるためのレジストセンサ３２と、転写シート２５に摺接してその表面のクリーニングを行うクリーニングローラ３３とが設けられている。一方のローラ３１は図示しない駆動機構によりクリーニングローラ３３とともに上下に変位可能になっており、下降時に転写シート２５と転写ローラ２７とが転接し、記録紙２９に画像を転写した後、下流側に排出するようになっている。サーマルヘッド２６は軸部２６ａを中心に回動可能であり、下降時にローラ３０との間でドナーフィルム２１および転写シート２５を押圧し、転写シート２５に対して画像を形成するようになっている。搬送ガイド２８には記録紙２９を転写シート２５に同期して搬送させるための検知センサ３４が配設されている。」（明細書第８頁第１〜１８行目）
　
第５　対比
　
　ここで、引用例１の記載事項（ウ）（エ）と図面第１図の記載から見て、「巻取３」と「巻取装置３１」はリール構造を有していることが看取される。
　また、引用発明１において昇華型インキはインキフィルムの片面側に塗布されていることは自明である。さらに、引用発明１において転写シートと記録シートは加圧、加熱して転写シートの受像層を記録シートに転写させていることから、何らかの形で記録シートが支持されていることも自明である。
　さらに、引用発明１の「受像層に、昇華型インキフィルムに塗布されている昇華型の染料を移行」は昇華型の染料の転写に他ならず、「昇華型の染料の受像層の受容による画像」は昇華型の染料の転写による画像に他ならないことから、該「昇華型の染料の受像体の受容による画像」は本願発明の「第２転写層による画像」に相当することは明らかである。
　
　そこで、本願発明と引用発明１を対比する。
　
　引用発明１の「転写シート」，「受像層」，「昇華型インキフィルム」，「昇華型の染料」，「移行］，「記録シート」，「記録装置］，「転写装置」，「リール構造の巻取」及び「リール構造の巻取装置」は、本願発明の「中間媒体」，「第１転写層」，「転写部材」，「第２転写層」，「転写］，「被転写物」，「第１転写装置」，「第２転写装置」，「第１リール」及び「第２リール」にそれぞれ相当する。
　
　また、引用発明１における「転写記録装置」と称されるものはその表現の相違のみで、実態として「画像記録装置」と何等異なるところはない
　さらに、引用発明１において第１リールに巻回された中間媒体を、前記第１転写装置及び第２転写装置を通過させた後に第２リールによって巻取るために中間媒体供給装置は明記されていないが、前記相当関係によれば引用発明１が第１リールに巻回された中間媒体を、前記第１転写装置及び第２転写装置を通過させた後に第２リールによって巻取る構成を有しているから、引用発明１が本願発明の「中間媒体供給装置」に相当する構成を有していることは明らかである。
　
　してみれば両者は、
　
「中間媒体の片面側にある第１転写層に、転写部材の片面側にある第２転写層を接触させて、前記中間媒体の前記第１転写層上に第２転写層を転写する第１転写装置と、被転写物を支持すると共に、前記被転写物上に前記中間媒体上の第１転写層及び第２転写層を転写する第２転写装置と、第１リールに巻回された中間媒体を、前記第１転写装置及び第２転写装置を通過させた後に第２リールによって巻取る中間媒体供給装置とを備える画像記録装置であって、前記第２転写層による転写画像を、前記被転写物上の所定の位置に前記第１転写層と共に転写することで、該被転写物上に画像を形成すること、を特徴とする画像記録装置。」
　
　である点で一致し、以下の点で相違する。
　
［相違点］
　第２転写層による転写画像を、前記被転写物上の所定の位置に前記第１転写層と供に転写することで、該被転写物上に画像を形成する際に、本願発明では、第１転写装置による転写の前に、中間媒体の転写開始位置を検出する第１検出手段、及び、前記第２転写装置による転写の前に、前記被転写物の転写開始位置を検出する第２検出手段を有し、該第１検出手段と第２検出手段を用いた位置合わせを行っているのに対し、引用発明１では位置合わせのために第１検出手段、第２検出手段は有していない点で相違する。
　
第６　判断
　
周知例１について
　
　周知例１の記載事項（キ）によれば「転写シート２５の回りには転写シート２５をドナーフィルム２１に同期して搬送させるためのレジストセンサ３２」が記載されている。
　該「レジストセンサ３２」による同期は転写シート（本願発明の「中間媒体」に相当）とドナーフィルム（本願発明の「転写部材」に相当）の間で行われており、これは本願発明の第１転写装置の転写に際し転写位置合わせが行われていることに他ならない。
　ここで、同期するに際し転写シートのどのような位置を検出するかは明示されていないが、ドナーフィルムから転写シートに転写を行う上での転写位置合わせであることは明らかであるので、実質的に転写が行われる位置が検出されているものと認められる。
　また、同（キ）によれば「搬送ガイド２８には記録紙２９を転写シート２５に同期して搬送させるための検知センサ３４が配設されている。」と記載されている。
　該「検知センサ３４」による同期は転写シート（本願発明の「中間媒体」に相当）と記録紙（本願発明の「被転写物」に相当）の間で行われており、これは本願発明の第２転写装置の転写に際し転写位置合わせが行われていることに他ならない。
　さらに、ここで「検知センサ３４」は記録紙を検知するものではあるが、「転写シート２５」上に形成された画像の位置と同期するためのもであることから、転写シートの位置と無関係に「検知センサ３４」が記録紙の検知をしているとは考えられない。
　よって、最終的な転写位置合わせを保証するのであれば「レジストセンサ３２」の検知による「転写シート２５」上の画像の位置と「検知センサ３４」による記録紙の位置の同期が行われている必要があることから、「レジストセンサ３２」と「検知センサ３４」が連携して機能していることも明らかである。
　
［相違点］について
　
　一般に画像の転写を行うに際し、転写側と被転写側の同期をとって転写位置合わせを行う必要があることは当業者にとり自明の事項である。
　そして、引用発明１において昇華型の染料の受像層の受容による画像を、転写シート上の所定の位置に前記受像層と共に転写することで、転写シート上に画像を形成するのであるから、何らかの形で位置合わせが行われていることも当業者ならば容易に理解できるものである。
　ここで、同期するに際し記録紙のどのような位置を検出するかは明示されていないが、転写シートから記録紙に転写を行う上での転写位置合わせであることは明らかであるので、実質的に転写が行われる位置が検出されているものと認められる。
　さらに、転写位置合わせのための検出の際に転写される位置を何らかの形で検出する必要があるわけだが、この検出は転写位置を合わせるために行っている以上、転写開始時から転写位置が合っている必要がある。そして通常転写開始時から転写位置が合っていることを保証するのであれば転写前に転写開始位置を何らかの形で検出することは当業者ならば当然考慮する技術事項である。
　そして、引用発明１のごとく第１転写装置、第２転写装置を備え転写を二度行うのであれば、当然それぞれについて転写位置合わせを行い、転写側と被転写側を同期させて最終的な転写位置合わせが保証されるように構成する必要がある。
　してみれば、引用発明１においても、第１転写装置による転写の前に、中間媒体の転写開始位置を検出する第１検出手段、及び、前記第２転写装置による転写の前に、前記被転写物の転写開始位置を検出する第２検出手段を設けなければならないことは、前記のごとく周知例１の周知技術を考慮すれば当業者が容易に想到し得るものである。
　
　また、本願発明の効果も、引用発明及び周知例１記載の周知技術の効果から当業者が容易に予測できる範囲内のものである。
　
第７　むすび
　以上のとおり、本願発明は、引用発明１及び周知技術に基づいて、当業者が容易に発明をすることができたものであるから、特許法第２９条第２項の規定により特許を受けることができない。
　そして、本願発明が特許を受けることができない以上、本願のその余の請求項に係る発明について検討するまでもなく、本願は拒絶を免れない。
　
　よって、結論のとおり審決する。